(57)【要約】【課題】通水路の水溜部を省略しても膜状水を容易に吐水できる吐水装置を提供する。【解決手段】便器洗浄タンクに給水するタンク給水路を給水源とし、手洗器に取り付けられる吐水装置３０であって、上流側水路から水が流入する通水路４０と、通水路４０から流出する水を吐水するためのスリット状の吐水路４２と、を備え、通水路４０は、吐水路４２のスリット幅方向に対向する一対の内壁面４２ａ、４２ｂのうちの一方の内壁面４２ａに開口する水流出口４０ｂを有し、吐水路４２は、水流出口４０ｂに対してスリット長手方向に広がるように形成される。【選択図】図５
2017141604.tif 000002
【特許請求の範囲】
【請求項１】
便器洗浄タンクに給水するタンク給水路を給水源とし、手洗器に取り付けられる吐水装置であって、
上流側水路から水が流入する通水路と、
前記通水路から流出する水を吐水するためのスリット状の吐水路と、を備え、
前記通水路は、前記吐水路のスリット幅方向に対向する一対の内壁面のうちの一方の内壁面に開口する水流出口を有し、
前記吐水路は、前記水流出口に対してスリット長手方向に内部空間を広げるように形成されることを特徴とする吐水装置。
【請求項２】
前記通水路は、前記上流側水路から流入する水を前記通水路に沿って流すことで、前記水流出口まで誘導するように構成される請求項１に記載の吐水装置。
【請求項３】
前記吐水路は、前記吐水路の下流端に開口する吐水口と前記水流出口との間に設けられる整流領域を有する請求項１又は２に記載の吐水装置。
【請求項４】
前記吐水路の水路断面積は、前記通水路の水路断面積より小さくなるように設定される請求項１から３のいずれかに記載の吐水装置。
【請求項５】
前記吐水路のスリット長手方向の少なくとも一方の端部は、スリット長手方向の中間部よりスリット幅方向に幅広に形成される請求項１から４のいずれかに記載の吐水装置。
【請求項６】
前記吐水路のスリット長手方向の側面には、前記吐水路の奥側から入側に向かうにつれて、前記吐水路の長手寸法が広がるような誘導面が形成される請求項１から５のいずれかに記載の吐水装置。
【請求項７】
手洗器と、
請求項１から６のいずれかに記載の吐水装置と、を備え、
前記通水路には、前記上流側水路から横向きに水が流入し、
前記通水路の下内面は、下流側に向かって上り勾配で傾斜する傾斜領域を有することを特徴とする手洗装置。
【請求項８】
手洗器と、
請求項１から６のいずれかに記載の吐水装置と、を備え、
前記手洗器は、鉢部と、前記鉢部の底面部に形成される排水孔と、を有し、
前記吐水装置は、前記排水孔に向けて膜状水を吐水し、
前記排水孔は、前記吐水装置から定常的に吐水される膜状水が前記排水孔の上端開口内を通るように位置及び形状が設定されている手洗装置。
【発明の詳細な説明】
【技術分野】
【０００１】
本発明は、便器装置に用いられる吐水装置及びこれを用いた手洗装置に関する。
【背景技術】
【０００２】
従来より、大便器の利用後に使用者が手洗いできるように、大便器と手洗器を組み合わせて用いる場合がある。この手洗器には、通常、便器洗浄タンクに給水するタンク給水路を給水源とする吐水装置が取り付けられ、吐水装置からは手洗器の鉢部に向けて吐水される。
【０００３】
この例として、特許文献１には、手洗器に取り付けられる吐水装置として、幅広な膜状水を吐水するものが開示されている。同文献には、吐水管から吐き出された水を溜めるための水溜部を吐水装置の通水路に設け、水溜部から溢れた水を膜状水として吐出口から吐き出す点が開示されている。
【先行技術文献】
【特許文献】
【０００４】
【特許文献１】実登２５５２７７６号公報
【発明の概要】
【発明が解決しようとする課題】
【０００５】
特許文献１の吐水装置は、膜状水を容易に吐き出せるようにするために、水溜部を通水路に設けていると考えられる。現状、通水路の水溜部を省略しても、膜状水を容易に吐水できるような構造の吐水装置は提案されていない。このような構造の吐水装置があれば、膜状水を吐水する機能をもつ吐水装置に関して、従来より設計上の自由度が広がることになるため、その提案が望まれる。
【０００６】
本発明は、このような課題に鑑みてなされ、その目的は、通水路の水溜部を省略しても膜状水を容易に吐水できる吐水装置を提供することにある。
【課題を解決するための手段】
【０００７】
上記課題を解決するための本発明のある態様は吐水装置である。
第１態様の吐水装置は、便器洗浄タンクに給水するタンク給水路を給水源とし、手洗器に取り付けられる吐水装置であって、上流側水路から水が流入する通水路と、前記通水路から流出する水を吐水するためのスリット状の吐水路と、を備え、前記通水路は、前記吐水路のスリット幅方向に対向する一対の内壁面のうちの一方の内壁面に開口する水流出口を有し、前記吐水路は、前記水流出口に対してスリット長手方向に内部空間を広げるように形成される。
【０００８】
第１態様の吐水装置によれば、通水路の水流出口から流出する水を、吐水路の一方の内壁面と対向する他方の内壁面と衝突させ、その衝突位置からスリット長手方向に広げることで、吐水路から膜状水を容易に吐水できるようになる。
【図面の簡単な説明】
【０００９】
【図１】第１実施形態の手洗装置が用いられる便器装置を示す斜視図である。
【図２】第１実施形態の便器装置の給水系の一部を模式的に示す構成図である。
【図３】第１実施形態の手洗装置の側面断面図である。
【図４】第１実施形態の手洗装置の正面断面図である。
【図５】第１実施形態の手洗装置の一部を拡大した側面断面図である。
【図６】図５の断面を斜め下側から見た斜視図である。
【図７】図７（ａ）は、第１参考例の吐水装置を示す側面断面図であり、図７（ｂ）は、図７（ａ）のＡ−Ａ線断面図である。
【図８】図５のＢ−Ｂ線断面図である。
【図９】図５のＣ−Ｃ線端面の一部を示す図である。
【図１０】第１実施形態の吐水装置の通水路や吐水路を模式的に示す図である。
【図１１】第２実施形態の吐水路を図８と同じ視点から見た図である。
【図１２】第２実施形態の吐水路を図９と同じ視点から見た図である。
【図１３】第３実施形態の吐水路を図８と同じ視点から見た図である。
【図１４】第４実施形態に係る手洗装置の正面断面図である。
【図１５】図１４のＤ−Ｄ線断面図である。
【図１６】図１６（ａ）は、第１変形例の吐水路を図９と同じ視点から見た図であり、図１６（ｂ）は、第２変形例の吐水路を図９と同じ視点から見た図である。
【発明を実施するための形態】
【００１０】
以下、実施形態、変形例では、同一の構成要素に同一の符号を付し、重複する説明を省略する。また、各図面では、説明の便宜のため、構成要素の一部を適宜省略したり、構成要素の寸法を適宜拡大、縮小して示す。
【００１１】
［第１の実施の形態］
図１は、第１実施形態の手洗装置１０が用いられる便器装置１２を示す斜視図である。
便器装置１２は、主に、便器１４と、ケーシング１６と、便器洗浄タンク１８（以下、単にタンク１８ともいう）と、手洗装置１０とを備える。ケーシング１６は、タンク１８等を収めるための外装体である。ケーシング１６は、タンク１８とともに便器１４に搭載され、その上端部には上端開口部１６ａが形成される。タンク１８は、便器１４の便鉢（不図示）内に供給される洗浄水を貯溜するためのものである。
【００１２】
図２は、実施形態の便器装置１２の給水系の一部を模式的に示す構成図である。
便器装置１２は、タンク給水路２０と、分岐給水路２２とを備える。タンク給水路２０は、タンク１８に給水するための水路である。タンク給水路２０には第１定流量弁２３やボールタップ２４が設置される。第１定流量弁２３は、水源から供給される水を所定以下の流量に制限する。第１定流量弁２３は、第１定流量弁２３より水源側の水路部分の圧力変動の影響を抑え、タンク１８内に安定した流量の水を給水するためのものである。ボールタップ２４は、タンク１８内の水位に連動してタンク給水路２０を開閉する。これにより、タンク給水路２０は、タンク１８に対して給水する給水状態と、タンク１８に対する給水を停止する給水停止状態との間で切り替わる。タンク１８内の洗浄水が所定水位を下回るとボールタップ２４が開弁し、タンク給水路２０の下流端部２０ａからタンク１８内に給水される。タンク１８内の洗浄水が所定水位以上になるとボールタップ２４が閉弁し、タンク給水路２０からタンク１８内への給水が停止する。
【００１３】
分岐給水路２２は、手洗装置１０の吐水装置３０に給水するための水路であり、タンク給水路２０から分岐して設けられる。吐水装置３０はタンク給水路２０を給水源としていることになる。分岐給水路２２は、タンク給水路２０のボールタップ２４より下流側の水路部分から分岐している。分岐給水路２２は、タンク給水路２０と同様、タンク１８の水位に連動して、吐水装置３０に対して給水する給水状態と、吐水装置３０に対する給水を停止する給水停止状態との間で切り替わる。分岐給水路２２には第２定流量弁２５が設置される。第２定流量弁２５は、タンク給水路２０の下流端部２０ａからの吐水動作に伴う第１定流量弁２３と第２定流量弁２５との間の水路部分の圧力変動の影響を抑え、吐水装置３０に安定した流量の水を給水するためのものである。
【００１４】
図３は、手洗装置１０の側面断面図である。図４は、手洗装置１０の正面断面図である。
手洗装置１０は、手洗器２６と、給水管２８と、吐水装置３０と、を備える。手洗器２６は、手洗器２６の取付相手となるベースとしてのケーシング１６に取り付けられる。詳しくは、手洗器２６は、ケーシング１６の上端開口部１６ａに蓋として取り付けられる。
【００１５】
手洗器２６は、合成樹脂、セラミックス等を素材として一体成形される。手洗器２６は、鉢部２６ａと、外周壁部２６ｂとを有する。外周壁部２６ｂは、鉢部２６ａの上端縁部から下方に延びて形成され、鉢部２６ａを外周側から囲むように設けられる。
【００１６】
鉢部２６ａの底面部２６ｃには下向きに突き出る排水筒部２６ｄが形成され、排水筒部２６ｄの内側には鉢部２６ａの底面部２６ｃを貫通する排水孔２６ｅが形成される。鉢部２６ａで受けた水は排水孔２６ｅ等を通してタンク１８内に排水される。
【００１７】
鉢部２６ａの内周壁部の周方向の一部をなす後壁部２６ｆは、他部をなす正面側の前壁部２６ｇより上側に延びるように形成される。鉢部２６ａの後壁部２６ｆの上部には吐水装置３０が取り付けられる装置取付部２６ｈが設けられる。
【００１８】
図５は、手洗装置１０の一部を拡大した側面断面図である。図６は、図５の断面を斜め下側から見た斜視図である。
給水管２８は、合成樹脂等の硬質な素材を用いて一体成形される。給水管２８の内部には、前述の分岐給水路２２の一部が形成される。給水管２８の一部は、手洗器２６の後壁部２６ｆの裏面側（外周側）に配置される。給水管２８の上流端部には中継管２９（図３参照）が接続され、中継管２９を介してタンク給水路２０と連通される。手洗器２６の装置取付部２６ｈには挿通孔２６ｊが形成され、給水管２８の一部は挿通孔２６ｊに挿通される。給水管２８の下流端部には雄側接続筒部２８ａが設けられる。給水管２８は、手洗器２６に不図示のビス等の取付具により取り付けられる。
【００１９】
吐水装置３０は、ハウジング３４と、カバー３６と、を備える。ハウジング３４は、クリップ等の留め具３８により給水管２８に接続され、給水管２８を介して手洗器２６に取り付けられる。ハウジング３４は、水路が内部に形成される水路形成体であり、給水管２８から給水される水を吐水路４２（後述する）から吐水するためのものである。カバー３６は、ハウジング３４の外側に配置され、ハウジング３４に不図示のビス等の固定具により固定される。カバー３６は、ハウジング３４の大部分を覆い隠す吐水装置３０の外装体となる。吐水装置３０は、全体として、手洗器２６の後壁部２６ｆから正面側に向かって突き出るように設けられる。
【００２０】
ハウジング３４は、雌側接続筒部３４ａと、通水路４０と、吐水路４２と、吐水部４４とを有する。通水路４０と吐水路４２の詳細は後述する。
【００２１】
雌側接続筒部３４ａには給水管２８の雄側接続筒部２８ａが差し込まれる。ハウジング３４の雌側接続筒部３４ａと給水管２８の雄側接続筒部２８ａとの間は、給水管２８の雄側接続筒部２８ａの外周面に装着されるシール部材４６によりシールされる。
【００２２】
吐水部４４は、ハウジング３４の一部をなす部位であり、その外面には吐水路４２に連なる吐水口４８が形成される。吐水部４４は、手洗器２６の鉢部２６ａの底側に臨むように配置される。吐水部４４は、ハウジング３４の周囲に連なる他の壁部３４ｂより外側に突き出るように形成される。カバー３６は、吐水部４４の外周形状に対応する内周形状の嵌込部３６ａを有し、ハウジング３４の吐水部４４は、カバー３６の嵌込部３６ａに嵌め込まれる。
【００２３】
通水路４０は、上流側水路となる給水管２８の分岐給水路２２の水路出口２２ａから流入した水を吐水路４２に向けて流すためのものである。通水路４０は、分岐給水路２２から水を流入させるための水流入口４０ａと、吐水路４２に水を流出させるための水流出口４０ｂとを有する。本実施形態の通水路４０の水流入口４０ａからは横向きに水が流入し、通水路４０の水流出口４０ｂからは横向きに水が流出する。
【００２４】
図７（ａ）は、第１参考例の吐水装置１３０を示す側面断面図であり、図７（ｂ）は、図７（ａ）のＡ−Ａ線断面図である。
図５、図６に示すように、本実施形態の通水路４０は、上流側水路となる分岐給水路２２から流入する水を溜めるための水溜部５０を有していない。ここでの水溜部５０とは、図７に示すように、上流側の水路部分５０ａから流入した水を上流側の水路部分５０ａより低位置で溜め、その溜めた水を溢れ縁５０ｂから溢れさせることで下流側に流出させるような部位をいう。これにより、本実施形態の通水路４０は、分岐給水路２２から流入する水を、通水路４０の途中位置で溜めることなく通水路４０に沿って流すことで、その水を通水路４０の水流出口４０ｂまで誘導することができる。通水路４０は、分岐給水路２２から流入する水を途中位置で溜めることなく、通水路４０の水流入口４０ａから水流出口４０ｂにかけての範囲で通水路４０に沿って流すことで、その水を水流出口４０ｂまで誘導するように構成されているともいえる。
【００２５】
図８は、図５のＢ−Ｂ線断面図であり、図９は、図５のＣ−Ｃ線端面の一部を示す図である。
図５、図８、図９に示すように、吐水路４２は、通水路４０の水流出口４０ｂから流出する水を膜状水５２として吐水するためのものであり、スリット状をなしている。本実施形態の吐水路４２は、スリット長手方向Ａに直線状に延びる形状をなしている。また、本実施形態の吐水路４２は、後述する吐水口４８がある入側から奥側に向かって直線状に延びる扁平な形状をなしている。
【００２６】
吐水路４２は、吐水路４２のスリット幅方向Ａに対向する一対の内壁面４２ａ、４２ｂと、吐水路４２の下流端に開口する吐水口４８とを有する。一対の内壁面４２ａ、４２ｂは互いに平行に配置される。一対の内壁面４２ａ、４２ｂのうちの一方の後側内壁面４２ａには通水路４０の水流出口４０ｂが開口する。本実施形態の水流出口４０ｂは、水流出口４０ｂの中心軸線方向の一方側（図８の視点）から見て、吐水路４２のスリット長手方向Ａの中央側、詳しくは、その中央に位置するように設けられる。一対の内壁面４２ａ、４２ｂのうちの他方の前側内壁面４２ｂは、通水路４０の水流出口４０ｂに対して、水流出口４０ｂからの水の流出方向Ｐａに突き当たる位置に設けられる。
【００２７】
吐水口４８も吐水路４２と同様のスリット状をなす。吐水口４８はスリット長手方向Ａが水平方向に延びるように設けられ、吐水口４８からは下向きに膜状水５２が吐水される。
【００２８】
吐水路４２は、水流出口４０ｂに対してスリット長手方向Ａの両側に内部空間を広げるように形成される。詳しくは、吐水路４２は、水流出口４０ｂの中心軸線方向の一方側（図８の視点）から見て、その中心軸線ＣＬに対してスリット長手方向Ａの両側に内部空間を広げるように形成される。
【００２９】
吐水装置３０の動作を説明する。図１０は、吐水装置３０の通水路４０や吐水路４２を模式的に示す図である。
給水管２８の分岐給水路２２から通水路４０に水が流入すると、通水路４０内を方向Ｐｂに水が流れ、通水路４０の水流出口４０ｂから吐水路４２内に水が流出する。通水路４０の水流出口４０ｂから吐水路４２内に水が流出すると、その水は吐水路４２の前側内壁面４２ｂ（図５参照）と衝突し、その衝突位置から周囲に広がるように流れ方向を変更する。このとき、吐水路４２は、通水路４０の水流出口４０ｂに対してスリット長手方向Ａに広がるように形成されるため、吐水路４２の前側内壁面４２ｂに衝突した水の一部は、吐水路４２のスリット長手方向Ａに広がるように流れ方向を変更する（方向Ｐｃ参照）。吐水路４２内において前側内壁面４２ｂとの衝突により流れ方向を変更した水は、通水路４０の水流出口４０ｂから継続的に流出する水による押し出しや自重等によって、吐水路４２の吐水口４８に向けて導かれ（方向Ｐｄ参照）。吐水口４８から膜状水５２として吐水される。
【００３０】
以上の手洗装置１０の作用効果を説明する。
吐水装置３０の吐水路４２は、通水路４０の水流出口４０ｂに対してスリット長手方向Ａに広がるように形成される。よって、通水路４０の水流出口４０ｂから流出する水を吐水路４２の前側内壁面４２ｂと衝突させ、その衝突位置からスリット長手方向Ａに水を広げることで、吐水路４２から膜状水５２を容易に吐水できるようになる。このため、通水路４０の水溜部５０を省略しても、膜状水を吐水できるようになる。
【００３１】
また、従来にない構造により膜状水を容易に吐水できるようになるため、膜状水を吐水する機能をもつ吐水装置に関して設計するうえで、従来より設計上の自由度を広げることができる。
【００３２】
本実施形態によれば、通水路４０に水溜部５０がないため、吐水路４２から膜状水５２を吐水していない待機状態にあるとき、吐水装置３０の内部に水が残り難くなり、それだけ衛生面を良好に保ち易くなる。
【００３３】
また、通水路４０に水溜部５０がある場合、水溜部５０内の水が蒸発してしまうと、給水管２８から通水路４０内に水が流入し始めてから、吐水路４２から膜状水５２が吐水され始めるまでの間に、水溜部５０に水を溜める時間を要してしまう。この点、本実施形態によれば、通水路４０に水溜部５０がないため、水溜部５０に水を溜める時間が不要となる。よって、給水管２８から通水路４０内に水が流入しはじめてから、吐水路４２から膜状水５２が吐水され始めるまでの間に要する時間を短くでき、それだけ膜状水５２を常に早期に吐水し易くなる。
【００３４】
また、図３に示すように、通水路４０に水溜部５０がないため、通水路４０に水溜部５０がある構造と比べて、手洗器２６の後壁部２６ｆから正面側に向かって突き出る吐水装置３０の突出寸法Ｌａを短くできる。よって、手洗器２６の後壁部２６ｆに対して正面側に対向する前壁部２６ｇと吐水装置３０との間の空間５４の距離Ｌｂを広くできる。この空間５４は、手洗いをするときに両手を差し込むための差込空間５４となる。このため、通水路４０に水溜部５０がある構造と比べて、この差込空間５４に両手を差し込み易くなり、手洗いをし易くなる。
【００３５】
手洗装置１０の他の特徴を説明する。
図５、図８に示すように、吐水路４２は、吐水口４８と水流出口４０ｂとの間に設けられる整流領域４２ｃを有する。整流領域４２ｃは、水流出口４０ｂから流出した水の流れを整えるためのものである。より詳しくは、整流領域４２ｃは、吐水口４８を通る膜状水５２の速度ベクトルをスリット長手方向Ａで揃えるように、水の流れを整えるためのものである。これを実現するため、整流領域４２ｃでは、吐水路４２の奥行方向Ｂに向かって同等の内幅寸法（スリット幅）となるように設定されている。整流領域４２ｃは、吐水口４８を通る膜状水５２の速度ベクトルがスリット長手方向Ａで揃うように、その断面寸法が設定されているともいえる。本明細書での「同等」とは対比対象が完全に同一の場合とほぼ同一の場合とが含まれる。
【００３６】
仮に、吐水路４２から吐水される膜状水５２の速度ベクトルがスリット長手方向Ａで不揃いな場合、吐水路４２から吐水されてから着水するまでの間に、膜状水５２の形状が乱れ易くなる。ここでの乱れとは、膜状水５２が長手方向に大きくすぼまったり、大きく広がったりした状態で流れること等をいう。この点、本実施形態によれば、吐水路４２から吐水される膜状水５２の速度ベクトルをスリット長手方向Ａで揃え易くなるため、外観上の乱れの少ないきれいな膜状水５２を吐水し易くなる。
【００３７】
なお、吐水路４２の奥行方向Ｂでの整流領域４２ｃの寸法である奥行寸法Ｌｃを長くするほど、整流領域４２ｃによる整流効果を得やすくなる。本実施形態の吐水路４２の奥行寸法Ｌｃは、通水路４０の水流出口４０ｂの最大径Ｌｄ以上の大きさに設定されているが、これに限られない。
【００３８】
また、吐水路４２の水路断面積をＳ１［ｍｍ２］とし、通水路４０の水路断面積をＳ２［ｍｍ２］とする。ここでの水路断面積Ｓ１とは、通水路４０の水流出口４０ｂから吐水路４２の吐水口４８に向かう吐水路４２の流れ方向に直交する断面（図９の断面）での吐水路４２の断面積をいう。また、通水路４０の水路断面積Ｓ２とは、通水路４０の流れ方向Ｐｅ（図５参照）に直交する断面での断面積をいう。このとき、吐水路４２の水路断面積Ｓ１は、通水路４０の水路断面積Ｓ２より小さくなるように設定される。
【００３９】
仮に、この条件を満たさない場合、吐水路４２内を継続的に水で満たし難くなり、吐水路４２から吐水される膜状水５２の長手寸法が不安定になる恐れがある。この点、本実施形態によれば、吐水路４２の単位時間当たりの全吐水量よりも、通水路４０からの単位時間当たりの吐水路４２に対する流出量を多くし易くなる。よって、吐水路４２内を継続的に水で満たした状態にし易くなり、一定の長手寸法のきれいな膜状水５２を継続的に吐水し続け易くなる。
【００４０】
カバー３６は、ハウジング３４の吐水部４４以外の範囲が外部に露出しないように覆っている。これにより、ハウジング３４の内形や外形によらない外装を得られ、良好な意匠性を得られる。
【００４１】
次に、手洗装置１０の他の特徴を説明する。
図５に示すように、通水路４０の下内面は、通水路４０の下流側に向かって上り勾配で傾斜する傾斜領域４０ｃを有する。傾斜領域４０ｃは、通水路４０の水流出口４０ｂから上流側に向かう範囲であって、水流出口４０ｂに連なる少なくとも一部の範囲に設けられる。本実施形態の傾斜領域４０ｃは、この水流出口４０ｂから水流入口４０ａに向かう全範囲に亘り設けられる。この利点を説明する。
【００４２】
ボールタップ２４が閉弁して分岐給水路２２から通水路４０に対する給水が停止した状況を考える。この状況のとき、仮に、通水路４０内に残る水（以下、残水という）が滞留し続けると、通水路４０内への給水の停止後、長期間に亘り吐水路４２から水が継続的に流れ出てしまい、外観面で見栄えを損なってしまう。この点、前述の傾斜領域４０ｃがあれば、通水路４０内の残水は、傾斜領域４０ｃの勾配によって分岐給水路２２側に向かって自重により案内され、分岐給水路２２を通して早期に排水されるようになる。よって、分岐給水路２２からの給水の停止後、吐水路４２から水が流れ出る期間を短くでき、外観面で良好な見栄えを得やすくなる
【００４３】
なお、通水路４０の水流出口４０ｂの上端縁４０ｂａや下端縁４０ｂｂは、分岐給水路２２の下流端に設けられる水路出口２２ａの上端縁２２ａａや下端縁２２ａｂよりも高位置に設けられる。分岐給水路２２の水路出口２２ａは、分岐給水路２２の最も鉛直方向の高位置に設けられ、タンク給水路２０の下流端部２０ａは、分岐給水路２２より低位置に設けられる。これにより、通水路４０から排水される水を分岐給水路２２を通してタンク給水路２０の下流端部２０ａからタンク１８内に排水できる。
【００４４】
手洗器２６の排水孔２６ｅの上部には、その上端開口２６ｅａから下側に向かうにつれて縮径するようなテーパー状の受け面部２６ｅｂが形成される。受け面部２６ｅｂは、吐水装置３０から定常的に吐水される膜状水５２を受けるためのものである。これにより、膜状水５２を平坦な水平面で受けるよりも、着水位置から排水孔２６ｅの周囲への水はねを抑え易くなる。
【００４５】
（第２の実施の形態）
吐水路４２から吐水される膜状水５２には、膜状水５２の長手寸法を狭める方向の表面張力が付与されている。膜状水５２は、吐水路４２から吐水されてから着水するまでの間に、その表面張力により全体としてすぼまり易い。この対策を講じたものが第２実施形態の吐水装置３０である。
【００４６】
図１１は、第２実施形態の吐水路４２を図８と同じ視点から見た図であり、図１２は、その吐水路４２を図９と同じ視点から見た図である。
第１実施形態の吐水路４２は、スリット長手方向の全範囲に亘り同等の内幅寸法に設定される例を説明した。第２実施形態の吐水路４２は、スリット長手方向Ａの両側の端部４２ｄが、スリット長手方向Ａの中間部４２ｅよりスリット幅方向Ｃに幅広に形成される。ここでの「幅広」とは、スリット幅方向Ｃの寸法が大きいことをいう。本実施形態の吐水路４２の端部４２ｄは、吐水路４２の流れ方向に直交する断面において、円弧状をなすように形成され、その中間部４２ｅは直線状をなすように形成される。
【００４７】
これにより、吐水路４２の中間部４２ｅより端部４２ｄを通る水の流量が多くなり、吐水路４２から吐水される膜状水５２も長手方向の中間部より端部を通る水の流量が多くなる。本発明者が実験的に検討したところ、そのメカニズムは明らかではないが、膜状水５２は、その端部を通る水の流量が多いほど、全体としてすぼまりにくくなるという知見を得た。従って、本実施形態の吐水装置３０によれば、膜状水５２が全体としてすぼまりにくくなり、膜状水５２のすぼまりによる外観上の乱れの少ないきれいな膜状水５２を吐水し易くなる。
【００４８】
なお、本実施形態の吐水路４２は、スリット長手方向の両側の端部４２ｄが中間部４２ｅよりスリット幅方向Ｃに幅広に形成される例を説明したが、片側の端部４２ｄのみが幅広に形成されていてもよい。
【００４９】
（第３の実施の形態）
図１３は、第３実施形態の吐水路４２を図８と同じ視点から見た図である。
第１実施形態の吐水路４２のスリット長手方向Ａの両側の側面４２ｆは、吐水路４２の奥側から入側に向かって、吐水路４２の長手方向の寸法である長手寸法が同寸法となるように形成される例を説明した。
【００５０】
第３実施形態の吐水路４２の側面４２ｆには、吐水路４２の奥側から入側に向かうにつれて、吐水路４２の長手方向の寸法である長手寸法が広がるような誘導面４２ｇが形成される。誘導面４２ｇは、吐水路４２のスリット長手方向Ａの外側に向かって凸となるように湾曲する円弧状をなす。誘導面４２ｇは、通水路４０の水流出口４０ｂに対して、スリット長手方向Ａの両側に位置するように設けられる。
【００５１】
吐水路４２は、吐水路４２の吐水口４８側（入側）に設けられる前述の整流領域４２ｃの他に、整流領域４２ｃより吐水路４２の奥側に設けられる奥側領域４２ｈとを有する。吐水路４２の誘導面４２ｇはこの奥側領域４２ｈに設けられる。整流領域４２ｃでは、吐水路４２の長手寸法が同寸法となるように形成される。
【００５２】
前述の通り、吐水路４２の前側内壁面４２ｂに衝突した水は、その衝突位置からスリット長手方向Ａに広がるように流れる（方向Ｐｃ参照）。このスリット長手方向Ａに広がる水は、前述の誘導面４２ｇと当たることで、その流れ方向をスリット長手方向から吐水路４２の吐水口４８側に変更するように誘導される（方向Ｐｆ参照）。このとき、吐水路４２の前側内壁面４２ｂとの衝突位置からスリット長手方向に広がる水は、その水勢を大きく損なうことなくスムーズに誘導面４２ｇにより誘導される。これにより、吐水路４２のスリット長手方向Ａの両端部４２ｄを通る水の流速を高めることで、その流量を多くすることができる。
【００５３】
前述の通り、本発明者は、膜状水５２は、その端部を通る水の流量が多いほど、全体としてすぼまり難くなるという知見を得ている。このように吐水路４２のスリット長手方向Ａの両端部４２ｄを通る水の流速を高められるということは、膜状水５２の長手方向の両端部を通る水の流量を多くできることを意味している。よって、本実施形態の吐水装置３０によれば、膜状水５２のすぼまりによる外観上の乱れをの少ないきれいな膜状水５２を吐水し易くなる。
【００５４】
なお、誘導面４２ｇは、通水路４０の水流出口４０ｂに対して、スリット長手方向の両側に位置するように設けられる例を説明したが、片側にのみ位置するように設けられてもよい。
【００５５】
（第４の実施の形態）
図１４は、第４実施形態に係る手洗装置１０の正面断面図である。図１５は、図１４のＤ−Ｄ線断面図である。
第４実施形態は手洗装置１０に関する。手洗装置１０の吐水装置３０は、手洗器２６の排水孔２６ｅに向けて膜状水５２を吐水する。吐水装置３０は、分岐給水路２２から通水路４０に水が流れ始めてから若干の時間が経過すると、分岐給水路２２からの通水路４０に対する給水が停止するまでの間、吐水路４２から定常的に膜状水５２を吐水し続ける。このとき、膜状水５２は流れる経路や形状をほとんど変えることなく流れ続ける。分岐給水路２２の第２定流量弁２５（図２参照）は、上流側のタンク給水路２０から供給される水が所定流量以下の流量となるように制限する。これにより、吐水装置３０は、この定常的に膜状水５２を吐水し続けている間、所定流量と同等の流量の膜状水５２を吐水する。
【００５６】
排水孔２６ｅは、吐水装置３０から定常的に吐水される膜状水５２を、鉢部２６ａの底面部２６ｃで受けずに、排水孔２６ｅの上端開口２６ｅａ内を通るように、その位置及び形状が設定されている。ここでの「位置」とは、吐水装置３０の吐水口４８（不図示）に対する排水孔２６ｅの相対位置である。本実施形態の排水孔２６ｅは、定常的に吐水される膜状水５２に応じたスリット状をなす形状に設定されている。これにより、吐水装置３０から吐水される膜状水５２を手洗器２６の底面部２６ｃで受けることによる飛沫の発生を抑えられ、手洗器２６の鉢部２６ａ外への飛沫の飛び散りを防止できる。
【００５７】
なお、膜状水５２は、吐水装置３０から吐水されてから着水するまでの間にすぼまる傾向がある。排水孔２６ｅの上端開口２６ｅａ内を通る時点での膜状水５２のすぼまり度合いは、吐水装置３０に分岐給水路２２から流入する水の流量、吐水装置３０の構造、吐水装置３０から排水孔２６ｅの上端開口２６ｅａまでの高さ等の種々の要因に応じた大きさになる。本例では、ある程度のすぼまりのある膜状水５２が排水孔２６ｅの上端開口２６ｅａ内を通るように、排水孔２６ｅの位置及び形状が設定されている。この他にも、このすぼまりがほとんどない膜状水５２が排水孔２６ｅの上端開口２６ｅａ内を通るように、排水孔２６ｅの位置及び形状が設定されていてもよい。
【００５８】
また、排水孔２６ｅは、排水孔２６ｅの上端開口２６ｅａ内を通った膜状水５２を、その内壁面の一部で受けるように位置及び形状が設定されている。
【００５９】
また、排水孔２６ｅは、吐水装置３０から定常的に吐水される膜状水５２の半分以上、好ましくは９割以上が排水孔２６ｅの上端開口２６ｅａ内を通るように、その位置及び形状が設定されていてもよい。
【００６０】
以上、本発明の実施形態の例について詳細に説明したが、前述した実施形態は、いずれも本発明を実施するにあたっての具体例を示したものにすぎない。これら実施形態は、本発明の技術的範囲を限定するものではなく、請求の範囲に規定された発明の思想を逸脱しない範囲において、多くの変更が可能である。
【００６１】
手洗器２６は、ケーシング１６の上端開口部１６ａに取り付けられる例を説明したが、その取付位置は特に限定されない。手洗器２６は、たとえば、タンク１８の上端開口部に蓋として取り付けられてもよいし、キャビネットのカウンター上に取り付けられてもよい。この場合、手洗器２６の取付相手となるベースはタンク１８やカウンターになる。また、手洗器２６は、ケーシング１６と一体成形により設けられていてもよい。
【００６２】
吐水装置３０は、手洗器２６の後壁部２６ｆの正面側に面する箇所に取り付けられる例を説明した。吐水装置３０の手洗器２６に対する取付位置は特に限定されない。たとえば、手洗器２６の後壁部２６ｆの上側に面する箇所に平坦な座面を設け、その座面上に取り付けてもよい。
【００６３】
また、吐水装置３０は吐水路４２から下向きに吐水する例を説明したが、これに限定されず、たとえば、吐水路４２から横向きに吐水してもよい。
【００６４】
吐水路４２は、直線状をなす位置にあるように配置される例を説明したが、その配置位置はこれに限られない。吐水路４２は、例えば、Ｕ字状、Ｖ字状、半円状、環状をなす位置にあるように配置されてもよい。
【００６５】
吐水路４２は、通水路４０の水流出口４０ｂに対して、スリット長手方向Ａの両側に内部空間を広げるように形成される例を説明した。通水路４０の水流出口４０ｂに対する吐水路４２の相対位置はこれに限られない。たとえば、吐水路４２は、水流出口に対してスリット長手方向の片側にのみ内部空間を広げるように形成されてもよい。
【００６６】
吐水路４２の水路断面は、互いに直交する二方向のうちの一方向（スリット長手方向Ａ）の寸法が他方向（スリット幅方向Ｃ）の寸法より長くなるような、細長のスリット状をなしていればよく、その具体的な形状は特に限られない。図１６（ａ）は、第１変形例の吐水路４２を図９と同じ視点から見た図であり、図１６（ｂ）は、第２変形例の吐水路４２を図９と同じ視点から見た図である。たとえば、図１６（ａ）、１６（ｂ）に示すように、吐水路４２の水路断面は、一対の内壁面４２ａ、４２ｂのそれぞれが非平行に配置されていてもよい。なお、図１６（ａ）の例では、一方の内壁面４２ａがスリット幅方向Ｃの外向きに凸となる曲面状をなし、他方の内壁面４２ｂが直線状をなす。また、図１６（ｂ）の例では、一対の内壁面４２ａ、４２ｂの両方がスリット幅方向Ｃの内向きに凸となる曲面状をなす。
【００６７】
通水路４０の下内面は、水の流れ方向に向かって上り勾配で傾斜する傾斜領域４０ｃを有する例を説明した。下内面は、下流側に向かって水平となるように設けられてもよい。
【００６８】
ハウジング３４は、通水路４０と吐水路４２を有する水路形成体として説明した。この水路形成体は、水路形成体の外側に配置されるカバー３６により、吐水部４４以外の範囲が覆われる例を説明した。この他にも、水路形成体は、手洗器２６の後壁部２６ｆ等により、吐水部４４以外の範囲が覆われてもよい。たとえば、手洗器２６の後壁部２６ｆに水路形成体の吐水部４４のみが露出する開口部を形成し、その開口部内に吐水部４４を配置し、他の部位が外部に露出しないようにすることで、吐水部４４以外の範囲を覆ってもよい。また、この他にも、水路形成体は、カバー３６と手洗器２６との両方により覆われていてもよい。
【００６９】
以上の実施形態、変形例により具体化される発明を一般化すると、以下の技術的思想が導かれる。以下、発明が解決しようとする課題に記載の態様を用いて説明する。
【００７０】
第２の態様の吐水装置は、第１態様において、前記通水路は、前記上流側水路から流入する水を前記通水路に沿って流すことで、前記水流出口まで誘導するように構成されてもよい。
この態様によれば、通水路に水溜部がない構造にできる。よって、吐水路から膜状水を吐水していない待機状態にあるとき、吐水装置の内部に水が残り難くなり、それだけ衛生面を良好に保ち易くなる。
【００７１】
第３の態様の吐水装置は、第１態様又は第２態様において、前記吐水路は、前記吐水路の下流端に開口する吐水口と前記水流出口との間に設けられる整流領域を有してもよい。
この態様によれば、吐水路から吐水される膜状水の速度ベクトルをスリット長手方向で揃え易くなるため、外観上の乱れの少ないきれいな膜状水を吐水し易くなる。
【００７２】
第４の態様の吐水装置は、第１態様から第３態様のいずれかにおいて、前記吐水路の水路断面積は、前記通水路の水路断面積より小さくなるように設定されてもよい。
この態様によれば、吐水路内を継続的に水で満たした状態にし易くなり、一定の長手寸法のきれいな膜状水を継続的に吐水し続け易くなる。
【００７３】
第５の態様の吐水装置は、第１態様から第４態様のいずれかにおいて、前記吐水路のスリット長手方向の少なくとも一方の端部は、スリット長手方向の中間部よりスリット幅方向に幅広に形成されてもよい。
この態様によれば、膜状水のすぼまりによる外観上の乱れの少ないきれいな膜状水を吐水し易くなる。
【００７４】
第６の態様の吐水装置は、第１態様から第５態様のいずれかにおいて、前記吐水路のスリット長手方向の側面には、前記吐水路の奥側から入側に向かうにつれて、前記吐水路の長手寸法が広がるような誘導面が形成されてもよい。
この態様によれば、膜状水のすぼまりによる外観上の乱れの少ないきれいな膜状水を吐水し易くなる。
【００７５】
本発明の第７の態様は手洗装置である。第７態様の手洗装置は、手洗器と、前述の態様の吐水装置と、を備え、前記通水路には、前記上流側水路から横向きに水が流入し、前記通水路の下内面は、下流側に向かって上り勾配で傾斜する傾斜領域を有していてもよい。
この態様によれば、上流側水路からの給水の停止後、吐水路から水が流れ出る期間を短くでき、外観面で良好な見栄えを得やすくなる。
【００７６】
本発明の第８の態様は手洗装置である。第８態様の手洗装置は、手洗器と、前述の態様の吐水装置と、を備え、前記手洗器は、鉢部と、前記鉢部の底面部に形成される排水孔と、を有し、前記吐水装置は、前記排水孔に向けて膜状水５２を吐水し、前記排水孔は、前記吐水装置から定常的に吐水される膜状水が前記排水孔の上端開口内を通るように位置及び形状が設定されていてもよい。
この態様によれば、手洗器の底面部で膜状水を受けることによる飛沫の発生を抑えられる。
【符号の説明】
【００７７】
１０…手洗装置、１８…便器洗浄タンク、２０…タンク給水路、２６…手洗器、２６ａ…鉢部、２６ｃ…底面部、２６ｅ…排水孔、２６ｅａ…上端開口、３０…吐水装置、４０…通水路、４０ｂ…水流出口、４０ｃ…傾斜領域、４２…吐水路、４２ａ…内壁面、４２ｃ…整流領域、４２ｄ…端部、４２ｅ…中間部、４２ｆ…側面、４２ｇ…誘導面、４８…吐水口、５０…水溜部、５２…膜状水。
【図１】
2017141604.tif 000003
【図２】
2017141604.tif 000004
【図３】
2017141604.tif 000005
【図４】
2017141604.tif 000006
【図５】
2017141604.tif 000007
【図６】
2017141604.tif 000008
【図７】
2017141604.tif 000009
【図８】
2017141604.tif 000010
【図９】
2017141604.tif 000011
【図１０】
2017141604.tif 000012
【図１１】
2017141604.tif 000013
【図１２】
2017141604.tif 000014
【図１３】
2017141604.tif 000015
【図１４】
2017141604.tif 000016
【図１５】
2017141604.tif 000017
【図１６】
2017141604.tif 000018